(57)【要約】【課題】挿入部の細径化を損なうことなく、かつ、システムの互換性を確保した状態で静電気耐性を向上させる。【解決手段】固体撮像素子１０のＶＤＤ、ＧＮＤ用端子は電線３１，３２を介してビデオプロセッサ２４に接続される。固体撮像素子１０の垂直駆動系信号（φＶ１〜φＶ４）、水平駆動系信号、ビデオ出力信号用の端子は、同軸線３３，３４…４０の芯線を介してビデオプロセッサ２４に接続される。固体撮像素子１０の近傍において全ての同軸線３３，３４…４０のシールド線は一括してＧＮＤの電線３２に接続されている。電気コネクタ部６内において垂直駆動系信号の同軸線３３，３４…３６の芯線とシールド線はコンデンサＣ１，Ｃ２…Ｃ４を介して接続されている。また、電気コネクタ部６内において垂直駆動系信号の同軸線３３，３４…３６のシールド線は一括して電線３２に接続されている。【選択図】　図１
2004121750.tif 000002
【特許請求の範囲】
【請求項１】
挿入部の先端部内に撮像素子を有し、この撮像素子に電気的に接続した複数の信号線を有する信号ケーブルを操作部及びユニバーサルコード部内に挿通させ、前記信号ケーブルを電気コネクタ部で外部接点部に接続した電子内視鏡において、
前記信号ケーブルの複数の信号線の内、負電圧を含む撮像素子駆動パルスを伝送する信号線をコンデンサを介して前記撮像素子の接地端子に接続したことを特徴とする電子内視鏡。
【発明の詳細な説明】
【０００１】
【発明の属する技術分野】
本発明は挿入部先端部内に撮像素子を有する電子内視鏡に関する。
【０００２】
【従来の技術】
従来、電子内視鏡はプロセッサに接続されていない時には電気的に浮いた状態になり接地（ＧＮＤ）となる部分がない。また、電子内視鏡の電気コネクタ部の接点ピンは露出した状態になることが多い。そのため、電子内視鏡が単体の状態で誤って接点ピンに手等を触れることがあれば、電子内視鏡の撮像素子が静電破壊してしまうおそれがあった。
【０００３】
このことに対応して、電子内視鏡として、撮像素子内に保護回路を設置することにより静電気耐性は向上させるものがある（例えば、特許文献１参照）。
【０００４】
【特許文献１】
特公平６−１０４１０２号公報（第２−４頁、図１−１２）
【０００５】
【発明が解決しようとする課題】
しかしながら、従来の撮像素子内に保護回路を設置した電子内視鏡では、保護回路により撮像素子が大型化してしまうという問題がある。
【０００６】
また、通常の保護回路ではＧＮＤ側にサージ電圧を逃がす構造になっているが、負電圧（Ｌｏｗ）を含む２値または３値パルス（Ｈｉｇｈ、Ｍｉｄｄｌｅ、Ｌｏｗ）で駆動するような場合、この保護回路では負電圧が加わると基板側から電流の流入が起きてしまう。そのため、Ｌｏｗレベルよりも低い負電源を新たに確保しなければならなかった。
【０００７】
これはつまり、接続されるプロセッサ側の変更を要求されるということであり、システムの互換性が失われるという問題が発生する。
【０００８】
また、特公平６−１０４１０２号公報にはＶクロックとＧＮＤ間にツェナーダイオードを設置する構成が示されているが、この構成によるとＶクロック端子にかかる静電気はそのままＧＮＤ側へ流されるだけである。スコープ単体では本来の意味でのＧＮＤがないので、このＧＮＤ容量が十分確保されていなければ、撮像素子内で他の端子へ予期せぬ過大な負荷がかかるおそれがあった。
【０００９】
本発明は、上記事情を鑑みてなされたものであり、挿入部の細径化を損なうことなく、かつ、システムの互換性を確保した状態で静電気耐性を向上させることができる電子内視鏡を提供することを目的とする。
【００１０】
【課題を解決するための手段】
前記目的を達成するため請求項１に記載の電子内視鏡は、挿入部の先端部内に撮像素子を有し、この撮像素子に電気的に接続した複数の信号線を有する信号ケーブルを操作部及びユニバーサルコード部内に挿通させ、前記信号ケーブルを電気コネクタ部で外部接点部に接続した電子内視鏡において、前記信号ケーブルの複数の信号線の内、負電圧を含む撮像素子駆動パルスを伝送する信号線をコンデンサを介して前記撮像素子の接地端子に接続したことを特徴とする。
【００１１】
【発明の実施の形態】
以下、本発明の実施の形態を図面を参照して説明する。
（第１の実施の形態）
図１乃至図３は本発明の第１の実施の形態に係り、図１は固体撮像素子とビデオプロセッサの電気的接続状態を説明するブロック図、図２で電気コネクタ部の構成を示す平面図、図３は電子内視鏡の全体構成を示す説明図である。
【００１２】
（構成）
まず、図３を用いて電子内視鏡１の全体構成を示す。
図３に示すように、電子内視鏡１は、挿入部２、操作部３、ユニバーサルコード部４及びスコープコネクタ部５を連接して構成している。
【００１３】
挿入部２の先端部の内部には固体撮像素子１０を配置している。
スコープコネクタ部５には、電気コネクタ部６とライトガイドコネクタ部７が設けられている。
【００１４】
電気コネクタ部６は、接続コード２１のスコープ側コネクタ２２が着脱自在となるように形成している。接続コード２１のプロセッサ側コネクタ２３は、ビデオプロセッサ２４に接続している。
【００１５】
一方、固体撮像素子１０には信号ケーブル１１の一端が電気的に接続されている。信号ケーブル１１は、挿入部２から操作部３、ユニバーサルコード部４内を経由して、スコープコネクタ部５の電気コネクタ部６内の端子に他端が接続されている。
【００１６】
電気コネクタ部６は、スコープ側コネクタ２２を接続することによって、接続コード２１を介して外部機器のビデオプロセッサ２４と電気的に接続される。
【００１７】
ライトガイドコネクタ部７は、光源装置２５に光学的に接続される。
光源装置２５は、ライトガイドコネクタ部７に照明光を導く。
次に、図１を用いて固体撮像素子１０とビデオプロセッサ２４の電気的接続状態を説明する。
【００１８】
図１に示すように、信号ケーブル１１は垂直駆動系信号（φＶ１〜φＶ４）、水平駆動系信号（φＨ１、φＨ２、φＲ）、ビデオ出力信号（Ｖｏｕｔ）、電源（ＶＤＤ）、接地（ＧＮＤ）の１０本の信号線からなる複合ケーブルである。
【００１９】
ＶＤＤ、ＧＮＤの信号線はそれぞれ電線３１，３２、その他の８本の信号線は同軸線３３，３４…４０を使用している。
【００２０】
垂直駆動系信号φＶ１，φＶ３は負電圧（Ｌｏｗ）を含む３値パルス（Ｈｉｇｈ、Ｍｉｄｄｌｅ、Ｌｏｗ）の信号である。垂直駆動系信号φＶ２，φＶ４は負電圧（Ｌｏｗ）を含む２値パルス（Ｍｉｄｄｌｅ、Ｌｏｗ）の信号である。
【００２１】
水平駆動系信号（φＨ１、φＨ２、φＲ）は負電圧を含まない２値パルス（Ｈｉｇｈ、Ｍｉｄｄｌｅ）の信号である。
【００２２】
固体撮像素子１０のＶＤＤ、ＧＮＤ用端子はそれぞれ電線３１，３２を介してビデオプロセッサ２４のＶＤＤ、ＧＮＤ用端子に接続される。
【００２３】
固体撮像素子１０の垂直駆動系信号（φＶ１〜φＶ４）、水平駆動系信号（φＨ１、φＨ２、φＲ）、ビデオ出力信号（Ｖｏｕｔ）用の端子は、それぞれ同軸線３３，３４…４０の芯線を介してビデオプロセッサ２４の垂直駆動系信号（φＶ１〜φＶ４）、水平駆動系信号（φＨ１、φＨ２、φＲ）、ビデオ出力信号（Ｖｏｕｔ）用の端子に接続される。
【００２４】
また、固体撮像素子１０の近傍において、全ての同軸線３３，３４…４０の外部導体（シールド線）は一括してＧＮＤの電線３２に接続されている。
【００２５】
電気コネクタ部６内において垂直駆動系信号（φＶ１〜φＶ４）の同軸線３３，３４…３６の内部導体（芯線）とシールド線はコンデンサＣ１，Ｃ２…Ｃ４を介して接続されている。
【００２６】
また、電気コネクタ部６内において垂直駆動系信号の同軸線３３，３４…３６のシールド線は一括してＧＮＤの電線３２に接続されている。
【００２７】
次に、図２を用いて電気コネクタ部６の構成を詳細に説明する。
電気コネクタ部６のコネクタケース４１の内側には、基板４２が設けられている。基板４２には、オスピンである接点ピン５１，５２…５６，６３，６４…６６と、同軸接点５７，５８…６０が外部接点部として設けられている。
【００２８】
接点ピン５１，５２…５６，６３，６４…６６はＶＤＤ、ＧＮＤ、垂直駆動系信号の芯線とシールド線用に使用される。即ち、接点ピン５１，５２はそれぞれ電線３１，３２に接続され、接点ピン５３，５４…５６は、それぞれ同軸線３３，３４…４０の芯線に接続され、接点ピン６３，６４…６６は、それぞれ同軸線３３，３４…３６のシールド線に接続される。
【００２９】
同軸接点５７，５８…６０の内部接点は、メスピンであり、同軸線３７，３８…４０の各芯線に接続される。
【００３０】
同軸接点５７，５８…６０の外部接点は、前記内部接点の外周に絶縁された状態で設けられており、同軸線３７，３８…４０の各シールド線に接続されている。同軸接点５７，５８…６０の内部接点は外部からは直接触れられない構造になっている。
【００３１】
垂直駆動系信号のシールド線の接点ピン６３，６４…６６とＧＮＤの接点ピン５２は基板４２上のＧＮＤ部４３で同電位に設けられている。ＧＮＤ部４３はできるだけ大きい面積である事が望ましい。
【００３２】
垂直駆動系信号の芯線の接点ピン５３，５４…５６とＧＮＤ部４３はそれぞれチップ形態のコンデンサＣ１，Ｃ２…Ｃ４を介して接続されている。これにより、図１に示した電気コネクタ部６の接続を実現している。
【００３３】
このような構造によれば、電子内視鏡１は、挿入部２の先端部内に撮像素子１０を有し、この撮像素子１０に電気的に接続した複数の信号線（電線３１，３２、同軸線３３，３４…４０）を有する信号ケーブル１１を操作部３及びユニバーサルコード部４内に挿通させ、前記信号ケーブル１１を電気コネクタ部６で外部接点部に接続している。
【００３４】
電子内視鏡１は、前記信号ケーブル１１の複数の信号線の内、負電圧を含む撮像素子駆動パルスを伝送する信号線（同軸線３３，３４…３６の芯線）をコンデンサＣ１，Ｃ２…Ｃ４を介して前記撮像素子１０の接地端子に接続している。
【００３５】
ビデオプロセッサ２４は外部機器となっている。接続コード２１は外部機器の接続コードとなている。スコープ側コネクタ２２は外部機器の接続コードのコネクタとなっている。
【００３６】
（作用）
ここで、従来より固体撮像素子の水平駆動系信号の端子の静電気耐性は低かった。このため、第１の実施の形態では、図２に示すように、水平駆動系信号の端子には電気コネクタ部６内において同軸接点５７，５８…６０が使用されてきた。また、超小型された新型の固体撮像素子は、従来の固体撮像素子よりも静電気耐性が低いのが普通である。固体撮像素子全体の静電気耐性が落ちてくるに伴い、１単体として相対的に水平駆動系信号の端子よりも垂直駆動系信号の端子の静電気耐性が弱くなってきた。このため、垂直駆動系信号の端子についても電気コネクタ部内において同軸接点することが望ましい。しかしながら、ビデオプロセッサ２４あるいは接続コード２１等の互換性を確保するためには、垂直駆動系信号の接点ピン６３，６４…６６を同軸接点に変更することはできなかった。
【００３７】
このため、第１の実施の形態では、垂直駆動系信号の同軸線３３，３４…３６の芯線部分をコンデンサＣ１，Ｃ２…Ｃ４を介して同軸線３３，３４…３６のシールド線に接続し、同軸線３３，３４…３６のシールド線は一括してＧＮＤの電線３２に接続したので、垂直駆動系信号の同軸線３３，３４…３６の芯線部分に大きな静電気がかかったとしても基本的にこの静電気がＧＮＤへ落ちるため、この端子には大きな負担はかからず、またＧＮＤ側へ静電気が流れるにあたっても、コンデンサＣ１，Ｃ２…Ｃ４で大きく鈍ってくれるのでＧＮＤにも急峻な電圧はかからず、固体撮像素子１０の中において他の端子を破壊することはない。
【００３８】
（効果）
以上、説明したように第１の実施の形態によれば、固体撮像素子１０の静電気耐性の弱い端子に保護回路を設ける必要がないため、挿入部の細径化を損なうことがなく、かつ、従来の電子内視鏡と同じピン配置の電気コネクタ部６を使用できるので、システムの互換性を確保したまま静電気耐性を向上させることができ、電子内視鏡１の挿入部２を細径化するとともに信頼性を向上できる。
【００３９】
（第２の実施の形態）
図４及び図５は本発明の第２の実施の形態に係り、図４は電子内視鏡の全体構成を示す説明図、図５は電気コネクタ部にスコープ側コネクタを接続した後の状態を示す断面図である。
【００４０】
図４及び図５を用いた第２の実施の形態の説明において、図１乃至図３に示した第１の実施の形態と同様の構成要素には同じ符号を付して説明を省略している。
【００４１】
（構成）
まず、図４を用いて電子内視鏡１０１の電気コネクタ部１０６にスコープ側コネクタ２２を接続する前の状態を説明する。
【００４２】
コネクタケース１１１には第一の基板１１２固定されている。
第一の基板１１２には第一の接点ピン１１３がはんだ等で固定されている。　　第二の基板１１４には第二の接点ピン１１５が固定されている。
図５に示すように、第二の接点ピン１１５は、オスピン部１１６と、固定部１１７と、メスピン部１１８及び接点ばね１１９とで構成されている。
【００４３】
スコープ側コネクタ２２にはメスピンである接点８１が設けられている。
オスピン部１１６は、スコープ側コネクタ２２の接点８１に接続する。
固定部１１７は、第二の基板１１４に固定される。
メスピン部１１８は、第一の接点ピン１１３と接続する。接点ばね１１９は、メスピン部１１８に設けられ、第一の接点ピン１１３を押圧固定する。
【００４４】
電気コネクタ部１０６とスコープ側コネクタ２２が接続していない状態では、第二の接点ピン１１５と第一の接点ピン１１３が接触しないように、第一の基板１１２と第二の基板１１４の間にはばね１２０が設けられている。
【００４５】
（作用）
図４に示す電気コネクタ部１０６にスコープ側コネクタ２２を接続する場合には、まず接点８１がオスピン部１１６と接続し、この状態で押し込まれると第二の基板１１４が第一の基板１１２に近づいていき、第一の接点ピン１１３がメスピン部１１８及び接点ばね１１９と接続される。
【００４６】
（効果）
以上、説明したように第２の実施の形態によれば、固体撮像素子１０に接続した電気コネクタ部１０６の端子（第一の接点ピン１１３）が外部に露出しないので電子内視鏡１０１の１単体としての静電気耐性が向上する。
【００４７】
（第３の実施の形態）
図６及び図７は本発明の第３の実施の形態に係り、図６は電気コネクタ部にスコープ側コネクタを接続する前の状態を示す断面図、図７は電気コネクタ部にスコープ側コネクタを接続した状態を示す断面図である。
【００４８】
図６及び図７を用いた第３の実施の形態の説明において、図１乃至図３に示した第１の実施の形態と同様の構成要素には同じ符号を付して説明を省略している。
【００４９】
（構成）
図６及び図７に示すように、コネクタケース２１１に固定された基板２１２に接点ピン５３，５４，６３がはんだ等で固定されている。
【００５０】
基板２１２に設けられたガイド孔２１３の一方には第一の接点ピン２３１が固定され、ガイド孔２１３の他方には第二の接点ピン２３２が設けられている。
【００５１】
第二の接点ピン２３２は、接点８１に接続するオスピン部２３３と、第一の接点ピン２３１に接続する接点部２３４と、ガイド筒２３５とから構成されている。ガイド筒２３５は、絶縁性の部材であり、第一の接点ピン２３１の移動をガイドするためのものである。
【００５２】
第一の接点ピン２３１、オスピン部２３３及び接点部２３４は導電性の部材である。
【００５３】
図６に示す電気コネクタ部２０６とスコープ側コネクタ２２が接続していない状態では第一の接点ピン２３１と接点部２３４が接触しないように、第一の接点ピン２３１の外周においてガイド筒２３５とガイド孔２１３の間にばね２３６が設けられている。
【００５４】
（作用）
図６に示す電気コネクタ部２０６にスコープ側コネクタ２２を接続する前の状態から図７に示す電気コネクタ部２０６にスコープ側コネクタ２２を接続する場合には、まず接点８１がオスピン部２３３と接続し、この状態で押し込まれると接点部２３４が第一の接点ピン２３１と接続される。
【００５５】
（効果）
以上、説明したように第３の実施の形態によれば、固体撮像素子１０（図１参照）に接続した電気コネクタ部２０６の端子（第一の接点ピン２３１）が外部に露出しないので電子内視鏡２０１の１単体としての静電気耐性が向上する。
【００５６】
（第４の実施の形態）
図８及び図９は本発明の第４の実施の形態に係り、図８は電気コネクタ部にスコープ側コネクタを接続する前の状態を示す断面図、図９は電気コネクタ部にスコープ側コネクタを接続した状態を示す断面図である。
【００５７】
図８及び図９を用いた第４の実施の形態の説明において、図１乃至図３に示した第１の実施の形態と同様の構成要素には同じ符号を付して説明を省略している。
【００５８】
（構成）
まず、図８及び図９に示すように、電気コネクタ部２５６のコネクタケース２６１には基板２６２が固定されている。
【００５９】
基板２６２には接点ピン５３，５４，５５，６３がはんだ等で固定されている。
【００６０】
保護基板２６３には接点ピン５３，５４，５５，６３が挿通するピン孔２６４が設けられている。
【００６１】
さらに、保護基板２６３にはガイド孔２６５が設けられている。ガイド孔２６５内には固定ピン２６６とばね２６７が設けられている。
【００６２】
コネクタケース２６１にはガイド孔２６８が設けられている。ガイド孔２６８内には解除ピン２６９が設けられている。
【００６３】
電気コネクタ部２５６とスコープ側コネクタ２２が接続していない状態では接点ピン５３，５４，５５，６３先端が保護基板２６３から突出しないように、基板２６２と保護基板２６３の間にはばね２７０が設けられている。
【００６４】
図８に示す位置で固定ピン２６６はガイド孔２６８に入り込んだ状態で解除ピン２６９を押し、解除ピン２６９先端部が外部に突出した状態となる。この時、保護基板２６３の位置はロックされるので、接点ピン５３，５４，５５，６３が保護基板２６３内部に格納された状態がキープされる。
【００６５】
（作用）
図８に示す電気コネクタ部２５６にスコープ側コネクタ２２を接続する前の状態から図９に示す電気コネクタ部２５６にスコープ側コネクタ２２を接続する場合には、まず、電気コネクタ部２５６にスコープ側コネクタ２２を押しつけると、スコープ側コネクタ２２のコネクタケース８２が解除ピン２６９を押し下げ、次に解除ピン２６９が固定ピン２６６を押し下げることにより保護基板２６３はフリーとなる。そのままスコープ側コネクタ２２を押し込むことにより、接点８１は対応する接点ピン５３，５４，５５，６３と接続される。
【００６６】
（効果）
以上、説明したように第４の実施の形態によれば、固体撮像素子１０（図１参照）に接続した電気コネクタ部２５６の端子（接点ピン５３，５４，５５，６３）が外部に露出しないので電子内視鏡の１単体としての静電気耐性が向上する。
【００６７】
（第５の実施の形態）
図１０及び図１１は本発明の第５の実施の形態に係り、図１０は電気コネクタ部の構成を示す正面図、図１１は電気コネクタ部の断面図である。
【００６８】
（構成）
図１０及び図１１に示すように、第５の実施の形態の電気コネクタ部３０６では、静電気耐性の弱い端子（例えば、φＶ１、φＶ２等）を短ピン３５３，３５４にし、静電気耐性の強い端子（例えば、ＶＤＤ等）やＧＮＤを長ピン３５１，３５２にしている。
【００６９】
また、電気コネクタ部３０６には同軸接点３５７，３５８が設けられている。
（作用）
第５の実施の形態において、複数の長ピン３５１，３５２，３５３と同軸接点３５７，３５８で短ピン３５３，３５４を囲む、あるいは、コネクタケース３１１の外壁と長ピン３５１，３５２，３５３、同軸接点３５７，３５８で短ピン３５３，３５４を囲むようなピン配置とすることにより、短ピン３５３，３５４への接触の可能性を小さくすることができる。
【００７０】
（効果）
以上、説明したように第５の実施の形態によれば、静電気耐性の弱い端子（例えば、φＶ１、φＶ２等）を短ピン３５３，３５４とすることで接触の可能性を小さくしたので、電子内視鏡の１単体としての静電気耐性が向上する。
【００７１】
ところで、従来の電子内視鏡では撮像素子にフレアが発生すると、画質が大きく低下してしまう。以下の実施の形態は撮像素子のフレア防止に関するものである。
【００７２】
（第６の実施の形態）
図１２及び図１３は本発明の第６の実施の形態に係り、図１２は撮像素子及びその周辺部を示す断面図、図１３は撮像素子及びその周辺部の正面図である。
【００７３】
（構成）
図１２及び図１３に示すように、固体撮像素子４１０の一面には四角形状のイメージエリア４１１が設けられている。固体撮像素子４１０の一面の一端には端子列４１２が設けられている。固体撮像素子４１０の背面には第一の面取り部４１３及び第二の面取り部４１４が設けられている。
【００７４】
また、固体撮像素子４１０の一面には端子列４１２の部分を除き、イメージエリア４１１を完全に覆うように四角形状のカバーガラス４１５が貼り付けられている。
【００７５】
フレキシブル基板４１６の一端にはインナーリード４１７が設けられている。フレキシブル基板４１６は、一面に電子部品４１８が実装され、その反対面に信号ケーブル１１が接続されるケーブルランドが設けられている。
【００７６】
インナーリード４１７は固体撮像素子４１０の端子列４１２にバンプ４１９を介して接続固定されている。フレキシブル基板４１６は第一の面取り部４１３に沿うようにインナーリード４１７部分で折り曲げられている。インナーリード４１７とバンプ４１９の周りを封止する封止部４２０は接着剤で覆われることにより電気的耐性とメカ耐性を向上させている。
【００７７】
カバーガラス４１５の表面には光学部材４２１がＵＶ接着剤で固定されている。光学部材４２１の一部には平面部４２２が設けられており、平面部４２２をカバーガラス４１５の封止部４２０側に配置し、封止部４２０にはみ出さないような位置で貼り合わせられている。
【００７８】
（作用）
第６の実施の形態において、カバーガラス４１５と光学部材４２１の貼り合せ時には接着剤４３１、４３２が図のようにはみ出すのが普通である。ここに接着剤を残しておくと画像フレアの原因になるので、この接着剤は除去する必要がある。光学部材４２１が点線のように平面部４２２のない円形であったなら、接着剤４３２は光学部材４２１と封止部４２０で挟まれた非常に挟い部分にはみ出すことになるので、接着剤４３２の除去は非常に困難になる。
【００７９】
第６の実施の形態の構成であれば平面部４２２を介して接着剤４３２の除去は容易に行える。
【００８０】
接着剤４３１、４３２の除去を行った後、光学部材４２１は正面側にフレアカット用マスク４２３を配置した状態でレンズ枠４２４に取り付けられる。
【００８１】
（効果）
以上、説明したように第６の実施の形態によれば、カバーガラス４１５と光学部材４２１の貼り合わせ時には接着剤４３１、４３２を容易に除去できるので、画像フレアを容易に防止できる。
【００８２】
また、図１１の第一の面取り部４１３及び第二の面取り部４１４を設けたことで、固体撮像素子４１０とフレキシブル基板４１６を共通にして、後述の図１９乃至図２１に示すような直視観察用、斜視観察用、後方斜視観察用電子内視鏡に適用できる。
【００８３】
図１４は第６の実施の形態の第１の変形例の撮像素子及びその周辺部を示す側面図である。
【００８４】
図１４を用いた第１の変形例の説明において、図１２及び図１３に示した第６の実施の形態と同様の構成要素には同じ符号を付して説明を省略している。
【００８５】
図１４に示すように、カバーガラス４１５に貼り付ける光学部材４４１は、後面の封止部４２０側の角部に、面取り部４４２を形成している。
【００８６】
第１の変形例によれば、面取り部４４２を介して接着剤４３２の除去を容易に行えるので、図１２及び図１３に示した第６の実施の形態と同様の効果が得られる。
【００８７】
図１５は第６の実施の形態の第２の変形例を示す撮像素子及びその周辺部を示す側面図である。
【００８８】
図１５を用いた第２の変形例の説明において、図１２及び図１３に示した第６の実施の形態と同様の構成要素には同じ符号を付して説明を省略している。
【００８９】
図１５に示すように、カバーガラス４１５に貼り付ける光学部材４５１は、後面の封止部４２０側の角部に、切欠き部４５２を形成している。
【００９０】
第２の変形例によれば、切欠き部４５２を介して接着剤４３２の除去は容易に行えるので第６の実施の形態と同様の効果が得られる。
【００９１】
（第７の実施の形態）
図１６及び図１７は本発明の第７の実施の形態に係り、図１６は撮像素子及びその周辺部を示す断面図、図１７は撮像素子の正面図である。
【００９２】
（構成）
図１６及び図１７に示すように、固体撮像素子５１０の背面には第一の切欠き部５１３及び第二の切欠き部５１４が設けられている。
【００９３】
フレキシブル基板４１６は第一の切欠き部５１３の前後の縁部に当接するようにインナーリード４１７部分で折り曲げられている。固体撮像素子５１０の視野方向は、フレキシブル基板４１６の板面の水平前方向に対して鋭角を成して傾斜している。
【００９４】
固体撮像素子５１０の一面には端子列４１２の部分を除き、イメージエリア４１１を完全に覆うように四角形状のカバーガラス５１５が貼り付けられている。
【００９５】
カバーガラス５１５の表面には円形の光学部材５２１がＵＶ接着剤で固定されている。
【００９６】
ここで、カバーガラス５１５の端子列４１２に対向する角部に、切欠き部５４１を設けることで、円形の光学部材５２１とカバーガラス５１５の貼り付け面において、封止部４２０側の光学部材５２１がカバーガラス５１５からはみ出さないようにしている。
【００９７】
（作用）
カバーガラス５１５と光学部材５２１貼り合わせ時に接着剤５３２は、光学部材５２１の封止部４２０側から広い部分に露出するので、接着剤５３２の除去は容易に行える。
【００９８】
（効果）
以上、説明したように第７の実施の形態によれば、カバーガラス５１５と光学部材５２１貼り合せ時には接着剤４３１、５３２を容易に除去できるので、画像フレアを容易に防止できる。
【００９９】
また、固体撮像素子５１０に図１６の第一の切欠き部５１３及び第二の切欠き部５１４を設けたことで、固体撮像素子５１０とフレキシブル基板４１６を共通にして、直視観察用、斜視観察用、後方斜視観察用電子内視鏡に適用できる。
【０１００】
この第一の切欠き部５１３及び第二の切欠き部５１４を設けることによる効果を図１８乃至図２１を参照してさらに詳細に説明する。
【０１０１】
図１８は図１６に示した固体撮像素子を後方斜視観察用電子内視鏡に適用した場合の撮像素子及びその周辺部を示す説明図、図１９は図１６に示した固体撮像素子を直視観察用電子内視鏡に適用した場合の挿入部先端を示す説明図、図２０は図１６に示した固体撮像素子を斜視観察用電子内視鏡に適用した場合の挿入部先端を示す説明図、図２１は図１８に示した固体撮像素子を後方斜視観察用電子内視鏡に適用した場合の挿入部先端を示す説明図である。
【０１０２】
図１８に示すように、フレキシブル基板４１６は第二の切欠き部５１４の前後の縁部に当接するようにインナーリード４１７部分で折り曲げられている。固体撮像素子５１０の視野方向はフレキシブル基板４１６の板面の水平前方向に対して鈍角を成し、後方に向くことになる。
【０１０３】
図１９に示すように、直視観察用電子内視鏡６０１の挿入部６０２の先端部には、図１６に示した配置のフレキシブル基板４１６と固体撮像素子５１０を用いている。
【０１０４】
挿入部６０２の先端部本体６０３は、金属製で、撮像ユニット６０４が装着できるように装着孔６０５が形成されている。また、装着孔６０５は挿入部６０２の挿入方向に沿って形成されている。
【０１０５】
撮像ユニット６０４は、円筒状のレンズ枠６１１に光学部材５２１、６１２、６１３を取り付けたものである。レンズ枠６１１に取り付けられた光学部材５２１、６１２、６１３の光軸方向は固体撮像素子５１０の視野方向となる。
【０１０６】
このような構造により、固体撮像素子５１０の視野方向は挿入部６０２の挿入方向と一致している。即ち、図１６に示した配置のフレキシブル基板４１６と固体撮像素子５１０は直視観察用電子内視鏡６０１に適用できる。
【０１０７】
図２０に示すように、斜視観察用電子内視鏡６３１の挿入部６３２の先端部には、図１６に示した配置のフレキシブル基板４１６と固体撮像素子５１０を用いている。
【０１０８】
挿入部６３２の先端部本体６３３は、金属製で、撮像ユニット６０４が装着できるように装着孔６３５が形成されている。また、装着孔６３５は挿入部６３２の挿入方向に対して鋭角θ１分傾斜させて形成されている。
【０１０９】
このような構造により、固体撮像素子５１０の視野方向は挿入部６３２の挿入方向に対して鋭角θ１分傾斜している。即ち、図１６に示した配置のフレキシブル基板４１６と固体撮像素子５１０は斜視観察用電子内視鏡６３１に適用できる。
【０１１０】
図２１に示すように、後方斜視観察用電子内視鏡６５１の挿入部６５２の先端部には、図１８に示した配置のフレキシブル基板４１６と固体撮像素子５１０とによる撮像ユニット６５４を用いている。
【０１１１】
挿入部６５２の先端部本体６５３は、金属製で、撮像ユニット６５４が装着できるように装着孔６５５が形成されている。また、装着孔６５５は挿入部６５２の挿入方向に直交する方向に対して鋭角θ２分後方に傾斜させて形成されている。
【０１１２】
このような構造により、固体撮像素子５１０の視野方向は挿入部６５２の挿入方向に対して鈍角（９０°＋θ２）分傾斜している。即ち、図１８に示した配置のフレキシブル基板４１６と固体撮像素子５１０は後方斜視観察用電子内視鏡６５１に適用できる。
【０１１３】
なお、特に、図１２に示したフレキシブル基板４１６と固体撮像素子４１０の配置は、図１９に示すような直視観察用電子内視鏡に適し、図１６に示した配置のフレキシブル基板４１６と固体撮像素子５１０の配置は、図２０に示すような斜視観察用電子内視鏡に適し、図１８に示した配置のフレキシブル基板４１６と固体撮像素子５１０の配置は、図２１に示すような後方斜視観察用電子内視鏡に適している。
【０１１４】
（第８の実施の形態）
図２２乃至図２４は本発明の第８の実施の形態に係り、図２２は電子内視鏡の挿入部の先端面を示す正面図、図２３はライトガイドファイバーバンドルを示す断面図、図２４は図２２のＡ−Ａ線断面図である。
【０１１５】
（構成）
図２２に示すように、電子内視鏡７０１の挿入部７０２の先端部には、先端カバー７０３が取り付けられている。
【０１１６】
先端カバー７０３の先端面７０４には、対物レンズ７１１、送気送水ノズル７１２、鉗子チャンネル孔７１３、第１及び第２の照明レンズ７１４，７１５及び副送水チャンネル孔７１６が設けられている。
【０１１７】
従来の電子内視鏡の照明手段では照明レンズ用のライトガイドファイバーバンドル本数が多い場合、配光を良くするためにその中心部分に芯金を入れていた。本実施の形態は、この芯金部分に副送水チャンネルを設けたものである。
【０１１８】
図２３に示すように、副送水チャンネル７１７は、照明レンズ７１５からライトガイドファイバーバンドル７１８の先端部分にかけての中心部にパイプ７１９を設け、その後端にチューブ７２０を固定したものである。
【０１１９】
副送水チャンネル７１７の先端は、副送水チャンネル孔７１６になっている。ライトガイドファイバーバンドル７１８とチューブ７２０は電子内視鏡７０１の図示しない挿入部管内にて分離する。
【０１２０】
図２４に示すように、先端カバー７０３の先端面７０４において、対物レンズ７１１から鉗子チャンネル孔７１３の間に水切り部７２１を設けている。水切り部７２１は、図のような傾斜をつけるか、または、鉗子チャンネル孔７１３の中心軸を対物レンズ７１１側に傾ける等でもよい。
【０１２１】
（作用）
電子内視鏡７０１の挿入部７０２では、送気送水ノズル７１２と照明レンズ７１５の内側に設けた副送水チャンネル７１６によって送水が行われる。送気送水ノズル７１２の送水は、対物レンズ７１１側の側方送水となる。副送水チャンネル７１６によって送水は挿入部７０２の前方送水となる。
【０１２２】
対物レンズ７１１表面に残った水滴等は水切り部７２１により鉗子チャンネル孔７１３の方向へ流れやすくなり、吸引をかけることにより容易に水切りを行うことができる。
【０１２３】
（効果）
以上、説明したように第８の実施の形態によれば、副送水チャンネル７１７を照明レンズ７１５とライトガイドファイバーバンドル７１８の内側に設けたので、この構成により挿入部７０２の先端径を太くすることなく、さらに配光を落とすことなく、前方送水機能を付加することができる。また、水切り部７２１により対物レンズ７１１の表面に残った水滴等の水切りを容易に行うことができる。
【０１２４】
（第９の実施の形態）
図２５及び図２６は本発明の第９の実施の形態に係り、図２５は電子内視鏡の挿入部の先端面を示す正面図、図２６は電子内視鏡の挿入部の断面図である。
【０１２５】
（構成）
図２５に示すように、電子内視鏡８０１の挿入部８０２の先端部には、先端カバー８０３が設けられている。
【０１２６】
先端カバー８０３の先端面８０４には、対物レンズ８１１、送水口８１２、吸水口８１３、鉗子チャンネル孔８１４、第１及び第２の照明レンズ８１５，８１６が設けられている。
【０１２７】
図２５に示すように、先端本体部８２０には、先端に前記対物レンズ８１１を設けた撮像ユニット８２１や、送水口８１２、吸水口８１３にそれぞれ連通する送水チャンネル８２２、吸水チャンネル８２３が設けられている。
【０１２８】
先端本体部８２０に設けた送水チャンネル８２２、吸水チャンネル８２３は先端に行くにしたがい対物レンズ８１１の中心部に向かうように形成されている。
【０１２９】
先端カバー８０３には、この送水チャンネル８２２、吸水チャンネル８２３に合わせて送水口８１２、吸水口８１３が設けられている。
【０１３０】
送水口８１２、吸水口８１３の先端面での径は送水チャンネル８２２、吸水チャンネル８２３の先端本体部８２０の先端面での径よりも小さく形成されており、かつ、対物レンズ８１１の中心部により近い位置に設けられている。
【０１３１】
（作用）
送水チャンネル８２２方向から送気または送水を行うタイミングに合わせて吸水チャンネル８２３方向から吸引をかけることにより、対物レンズ８１１表面に送気・送水が行われ対物レンズ８１１表面の洗浄が可能になる。
【０１３２】
（効果）
以上、説明したように第９の実施の形態によれば、対物レンズ８１１の先端面より前方にノズルを設ける必要なく対物レンズ８１１を洗浄することができるので、ノズルによるケラレを気にすることなく視野範囲を設定でき、挿入部８０２の先端径の細径化も可能になる。
【０１３３】
［付記］
以上詳述したような本発明の上記実施の形態によれば、以下の如き構成を得ることができる。
【０１３４】
（付記項１）　挿入部の先端部内に撮像素子を有し、この撮像素子に電気的に接続した複数の信号線を有する信号ケーブルを操作部及びユニバーサルコード部内に挿通させ、前記信号ケーブルを電気コネクタ部で外部接点部に接続した電子内視鏡において、
前記信号ケーブルの複数の信号線の内、負電圧を含む撮像素子駆動パルスを伝送する信号線をコンデンサを介して前記撮像素子の接地端子に接続したことを特徴とする電子内視鏡。
【０１３５】
（付記項２）　挿入部の先端部内に撮像素子を有し、この撮像素子に電気的に接続した複数の信号線を有する信号ケーブルを操作部及びユニバーサルコード部内に挿通させ、前記信号ケーブルを電気コネクタ部で外部接点部に接続した電子内視鏡において、
前記電気コネクタ部は、外部機器の接続コードのコネクタと着脱可能で、
前記外部接点部は、
前記電気コネクタ部の内側に配置され、前記信号ケーブルと接続する第一の接点ピンと、
前記電気コネクタ部の外側に配置され、前記接続コードのコネクタに接続する外側第二の接点ピンから構成され、
前記電子内視鏡の電気コネクタ部に前記接続コードのコネクタが接続していない状態では、前記第一の接点ピンと前記第二の接点ピンが離れ、前記電子内視鏡の電気コネクタ部に前記接続コードのコネクタが接続した状態では、前記第一の接点ピンと前記第二の接点ピンが接続することを特徴とする電子内視鏡。
【０１３６】
（付記項３）　挿入部の先端部内に撮像素子を有し、この撮像素子に電気的に接続した複数の信号線を有する信号ケーブルを操作部及びユニバーサルコード部内に挿通させ、前記信号ケーブルを電気コネクタ部で外部接点部に接続した電子内視鏡において、
前記電気コネクタ部は、外部機器の接続コードのコネクタと着脱可能で、
前記電気コネクタ部には保護基板とこの保護基板を外側に付勢するばねを設け、
前記保護基板には外部接点部の接点ピンが挿入可能なピン孔を設け、
前記電子内視鏡の電気コネクタ部に前記接続コードのコネクタが接続していない状態では、前記保護基板のピン孔に外部接点部の接点ピンが隠れ、前記電子内視鏡の電気コネクタ部に前記接続コードのコネクタが接続した状態では、前記保護基板のピン孔から外部接点部の接点ピンが突出するすることを特徴とする電子内視鏡。
【０１３７】
（付記項４）　挿入部の先端部内に撮像素子を有し、この撮像素子に電気的に接続した複数の信号線を有する信号ケーブルを操作部及びユニバーサルコード部内に挿通させ、前記信号ケーブルを電気コネクタ部で外部接点部に接続した電子内視鏡において、
前記外部接点部の静電気耐性の弱い端子を短ピンとし、前記外部接点部の静電気耐性の強い端子を長ピンとしたことを特徴とする電子内視鏡。
【０１３８】
（付記項５）　挿入部の先端部内に、撮像素子と、この撮像素子を実装するフレキシブル基板と、前記撮像素子の撮像面に接着固定するカバーガラスと、このカバーガラスの正面側に接着固定する光学部材を有し、このフレキシブル基板に電気的に接続された複数の信号線を有する信号ケーブルを操作部及びユニバーサルコード部内に挿通させ、前記信号ケーブルを電気コネクタ部で外部接点部に接続した電子内視鏡において、
前記撮像素子の背面には第一の面取り部及び第二の面取り部が設けられ、
前記フレキシブル基板は前記撮像素子の第一の面取り部及び第二の面取り部のいずれか一方に沿って前記撮像素子と接続固定することを特徴とする電子内視鏡。
【０１３９】
（付記項６）　挿入部の先端部内に、撮像素子と、この撮像素子を実装するフレキシブル基板と、前記撮像素子の撮像面に接着固定するカバーガラスと、このカバーガラスの正面側に接着固定する光学部材を有し、このフレキシブル基板に電気的に接続された複数の信号線を有する信号ケーブルを操作部及びユニバーサルコード部内に挿通させ、前記信号ケーブルを電気コネクタ部で外部接点部に接続した電子内視鏡において、
前記撮像素子の背面には第一の切欠き部及び第二の切欠き部が設けられ、
前記フレキシブル基板は前記撮像素子の第一の切欠き部及び第二の切欠き部のいずれか一方の縁部に当接して前記撮像素子と接続固定することを特徴とする電子内視鏡。
【０１４０】
（付記項７）　挿入部の先端部内に、撮像素子と、この撮像素子を実装するフレキシブル基板と、前記撮像素子の撮像面に接着固定するカバーガラスと、このカバーガラスの正面側に接着固定する光学部材を有し、このフレキシブル基板に電気的に接続された複数の信号線を有する信号ケーブルを操作部及びユニバーサルコード部内に挿通させ、前記信号ケーブルを電気コネクタ部で外部接点部に接続した電子内視鏡において、
前記光学部材は、後面の角部の一部に、面取り部または切り欠き部を形成し、この面取り部または切り欠き部を介して前記光学部材と前記カバーガラスの間の接着剤を容易に除去できるようにしたことを特徴とする電子内視鏡。
【０１４１】
（付記項８）　挿入部の先端部内に、撮像素子と、この撮像素子を実装するフレキシブル基板と、前記撮像素子の撮像面に接着固定するカバーガラスと、このカバーガラスの正面側に接着固定する光学部材を有し、このフレキシブル基板に電気的に接続された複数の信号線を有する信号ケーブルを操作部及びユニバーサルコード部内に挿通させ、前記信号ケーブルを電気コネクタ部で外部接点部に接続した電子内視鏡において、
前記カバーガラスは、後面の角部の一部に、切り欠き部を形成したことを特徴とする電子内視鏡。
【０１４２】
（付記項９）　挿入部の先端カバーの先端面に、対物レンズ、照明レンズを設け、前記挿入部の先端部内に、前記対物レンズ用の撮像素子と、前記照明レンズ用のライトガイドファイバーバンドルを設けた電子内視鏡において、
前記照明レンズとライトガイドファイバーバンドルの中心部分に送水チャンネルを設けたことを特徴とする電子内視鏡。
【０１４３】
（付記項１０）　挿入部の先端カバーの先端面に、対物レンズ、送気送水ノズルと、鉗子チャンネル孔を設け、前記挿入部の先端部内に、前記対物レンズ用の撮像素子と、前記鉗子チャンネル孔に連通する鉗子チャンネルと、前記送気送水ノズルに連通する送気送水チャンネルを設けた電子内視鏡において、
前記先端カバーの先端面において、前記対物レンズから鉗子チャンネル孔の間に水切り部を設けたことを特徴とする電子内視鏡。
【０１４４】
（付記項１１）　挿入部の先端カバーの先端面に、対物レンズを設け、前記挿入部の先端部内に、前記対物レンズ用の撮像素子を設けた電子内視鏡において、前記先端部内に先端に行くにしたがい対物レンズ中心部に向かうように形成され設けた送水チャンネル及び吸水チャンネルを設け、前記先端カバーに前記送水チャンネルの送水口と前記吸水チャンネルの吸水口を設けたことを特徴とする電子内視鏡。
【０１４５】
【発明の効果】
以上述べた様に本発明の電子内視鏡によれば、挿入部の細径化を損なうことなく、かつ、システムの互換性を確保した状態で静電気耐性を向上させることができるので、電子内視鏡の挿入部の細径化するとともに信頼性の向上できる。
【図面の簡単な説明】
【図１】本発明の第１の実施の形態に係る固体撮像素子とビデオプロセッサの電気的接続状態を説明する説明図。
【図２】本発明の第１の実施の形態に係る電気コネクタ部の構成を示す平面図。
【図３】本発明の第１の実施の形態に係る電子内視鏡の全体構成を示す説明図。
【図４】本発明の第２の実施の形態に係る電子内視鏡の全体構成を示す説明図。
【図５】本発明の第２の実施の形態に係る電気コネクタ部にスコープ側コネクタを接続した状態を示す断面図である。
【図６】本発明の第３の実施の形態に係る電気コネクタ部にスコープ側コネクタを接続する前の状態を示す断面図。
【図７】本発明の第３の実施の形態に係る電気コネクタ部にスコープ側コネクタを接続した状態を示す断面図。
【図８】本発明の第４の実施の形態に係る電気コネクタ部にスコープ側コネクタを接続する前の状態を示す断面図。
【図９】本発明の第４の実施の形態に係る電気コネクタ部にスコープ側コネクタを接続した状態を示す断面図。
【図１０】本発明の第５の実施の形態に係る電気コネクタ部の構成を示す正面図。
【図１１】本発明の第５の実施の形態に係る電気コネクタ部の断面図。
【図１２】本発明の第６の実施の形態に係る撮像素子及びその周辺部を示す断面図。
【図１３】本発明の第６の実施の形態に係る撮像素子及びその周辺部を示す正面図。
【図１４】第６の実施の形態の第１の変形例の撮像素子及びその周辺部を示す側面図。
【図１５】第６の実施の形態の第２の変形例の撮像素子及びその周辺部を示す側面図。
【図１６】本発明の第７の実施の形態に係る撮像素子及びその周辺部を示す断面図。
【図１７】本発明の第７の実施の形態に係る撮像素子及びその周辺部を示す正面図。
【図１８】本発明の第７の実施の形態に係る固体撮像素子を後方斜視観察用電子内視鏡に適用した場合の撮像素子及びその周辺部を示す説明図。
【図１９】図１６に示した固体撮像素子を直視観察用電子内視鏡に適用した場合の挿入部先端を示す説明図。
【図２０】図１６に示した固体撮像素子を斜視観察用電子内視鏡に適用した場合の挿入部先端を示す説明図。
【図２１】図１８に示した固体撮像素子を後方斜視観察用電子内視鏡に適用した場合の挿入部先端を示す説明図。
【図２２】本発明の第８の実施の形態に係る電子内視鏡の挿入部の先端面を示す正面図。
【図２３】本発明の第８の実施の形態に係るライトガイドファイバーバンドルを示す断面図。
【図２４】図２２のＡ−Ａ線断面図。
【図２５】本発明の第９の実施の形態に係る電子内視鏡の挿入部の先端面を示す正面図。
【図２６】本発明の第９の実施の形態に係る電子内視鏡の挿入部の断面図。
【符号の説明】
１　　…電子内視鏡
２　　…挿入部
３　　…操作部
４　　…ユニバーサルコード部
５　　…スコープコネクタ部
６　　…電気コネクタ部
７　　…ライトガイドコネクタ部
１０　　…固体撮像素子
１１　　…信号ケーブル
２１　　…接続コード
２２　　…スコープ側コネクタ
２４　　…ビデオプロセッサ
３１，３２　　…電線
３３，３４…４０　　…同軸線
Ｃ１，Ｃ２…Ｃ４　　…コンデンサ
【図１】
2004121750.tif 000003
【図２】
2004121750.tif 000004
【図３】
2004121750.tif 000005
【図４】
2004121750.tif 000006
【図５】
2004121750.tif 000007
【図６】
2004121750.tif 000008
【図７】
2004121750.tif 000009
【図８】
2004121750.tif 000010
【図９】
2004121750.tif 000011
【図１０】
2004121750.tif 000012
【図１１】
2004121750.tif 000013
【図１２】
2004121750.tif 000014
【図１３】
2004121750.tif 000015
【図１４】
2004121750.tif 000016
【図１５】
2004121750.tif 000017
【図１６】
2004121750.tif 000018
【図１７】
2004121750.tif 000019
【図１８】
2004121750.tif 000020
【図１９】
2004121750.tif 000021
【図２０】
2004121750.tif 000022
【図２１】
2004121750.tif 000023
【図２２】
2004121750.tif 000024
【図２３】
2004121750.tif 000025
【図２４】
2004121750.tif 000026
【図２５】
2004121750.tif 000027
【図２６】
2004121750.tif 000028